(57)【特許請求の範囲】
【請求項１】
ETSI（European  Telecommunications  Standards  Institute）サービス・ケイパビリティ・レイヤ（SCL）を実装する１つ以上のプロセッサと、
前記ETSI  SCLと第２のデバイスとの間にインターネットプロトコル（IP）接続を確立する回路と、
前記IP接続を使用して、mId参照ポイントでマシン・ツー・マシン（M2M）デバイスのケイパビリティに関するデータを前記第２のデバイスに提供するデバイスインタフェースであり、前記ケイパビリティに関するデータは、ネットワークSCL（NSCL）に提供され、前記NSCLの少なくとも１つの機能は、サービス・ケイパビリティ・サーバ（SCS）に実装され、前記NSCLの少なくとも１つの機能は、3GPP  MTC-IWF（Interworking  Function）においてホストされるデバイスインタフェースと
を有するM2Mデバイス。
【請求項２】
前記mId参照ポイントに対応する無線ネットワークのmId参照ポイントは、3GPP（3rd  Generation  Partnership  Project）ユーザプレーン上に実装される、請求項１に記載のM2Mデバイス。
【請求項３】
前記mId参照ポイントに対応する無線ネットワークのmId参照ポイントは、前記3GPPユーザプレーンのGi/SGiインタフェース上に実装される、請求項２に記載のM2Mデバイス。
【請求項４】
前記mId参照ポイントに対応する無線ネットワークのmId参照ポイントは、前記3GPPユーザプレーンのTsmsインタフェース上に実装される、請求項２に記載のM2Mデバイス。
【請求項５】
前記mId参照ポイントに対応する無線ネットワークのmId参照ポイントは、3GPPコントロールプレーン上に実装される、請求項１に記載のM2Mデバイス。
【請求項６】
前記１つ以上のプロセッサは、3GPP  T4インタフェース上でショートメッセージサービス（SMS）通信を使用して前記第２のデバイスに前記ケイパビリティを登録するように更に構成される、請求項５に記載のM2Mデバイス。
【請求項７】
前記ケイパビリティは、前記M2Mデバイスで実行するアプリケーションに関連するケイパビリティである、請求項１に記載のM2Mデバイス。
【請求項８】
前記アプリケーションは、スマートホームアプリケーション、計器アプリケーション又は自動車アプリケーションである、請求項７に記載のM2Mデバイス。
【請求項９】
無線通信ネットワークで動作するコンピュータデバイスであって、
ETSI（European  Telecommunications  Standards  Institute）ネットワークアプリケーション（NA）を実行する１つ以上のプロセッサと、
前記NAとETSIネットワーク・サービス・ケイパビリティ・レイヤ（NSCL）との間で通信を提供するアプリケーションインタフェースであり、前記NSCLの少なくとも１つの機能は、サービス・ケイパビリティ・サーバ（SCS）に実装され、前記NSCLの少なくとも１つの機能は、3GPP  MTC-IWF（Interworking  Function）においてホストされるアプリケーションインタフェースと、
前記NSCLのパラメータを格納するメモリと、
インターネットプロトコル（IP）接続上に実現されたmId参照ポイントで、前記無線通信ネットワークのデバイスのケイパビリティの登録を受信するデバイスインタフェースと
を有し、
前記１つ以上のプロセッサは、前記NSCLに関連する前記登録をメモリに格納するように更に構成されるコンピュータデバイス。
【請求項１０】
無線ネットワークで動作するマシン・ツー・マシン（M2M）デバイスにより実行される方法であって、
ETSI（European  Telecommunications  Standards  Institute）サービス・ケイパビリティ・レイヤ（SCL）と第２のデバイスとの間にインターネットプロトコル（IP）接続を確立するステップと、
前記ETSI  SCLの名前を前記第２のデバイスに登録し、前記第２のデバイスのETSI  SCLの登録を受信するステップと、
前記ETSI  SCLの名前を前記第２のデバイスに登録すると、前記IP接続でmId参照ポイントを使用して前記M2Mデバイスで実行するアプリケーションについての情報を前記第２のデバイスに提供するステップであり、前記ケイパビリティに関するデータは、ネットワークSCL（NSCL）に提供され、前記NSCLの少なくとも１つの機能は、サービス・ケイパビリティ・サーバ（SCS）に実装され、前記NSCLの少なくとも１つの機能は、3GPP  MTC-IWF（Interworking  Function）においてホストされるステップと
を有する方法。
【請求項１１】
前記mId参照ポイントに対応する前記無線ネットワークのmId参照ポイントは、Gi/SGiインタフェース又はTsmsインタフェース上に実装され、前記Gi/SGi及び前記Tsmsは、3GPP（3rd  Generation  Partnership  Project）ユーザプレーン上に実装される、請求項１０に記載の方法。
【請求項１２】
前記mId参照ポイントに対応する前記無線ネットワークのmId参照ポイントは、3GPPコントロールプレーン上に実装され、前記M2Mデバイスは、3GPP  T4インタフェース上のショートメッセージ（SMS）通信又は3GPP  T5インタフェース上のスモールデータ送信を使用して前記第２のデバイスに登録する、請求項１０に記載の方法。
【請求項１３】
アプリケーションのデータをM2Mエリアネットワークの他のM2Mデバイスに提供するステップを更に有する、請求項１０に記載の方法。
【請求項１４】
前記mIdインタフェース上で前記IP接続を使用して前記第２のデバイスで実行するアプリケーションのデータを受信するステップを更に有する、請求項１０に記載の方法。
【請求項１５】
無線通信ネットワークのアプリケーションサーバ（AS）により実行される方法であって、
インターネットプロトコル（IP）接続で、マシン・ツー・マシン（M2M）デバイスのケイパビリティの登録を受信するステップと、
前記登録に続いて、前記ケイパビリティについてのデータを受信するステップであり、前記データは、前記IP接続でETSIネットワーク・サービス・ケイパビリティ・レイヤ（NSCL）のmId参照ポイントを使用して受信され、前記NSCLの少なくとも１つの機能は、サービス・ケイパビリティ・サーバ（SCS）に実装され、前記NSCLの少なくとも１つの機能は、3GPP  MTC-IWF（Interworking  Function）においてホストされるステップと
を有する方法。
【請求項１６】
前記IP接続で前記mId参照ポイントを使用して、前記ASで実行するアプリケーションに関するデータを前記M2Mデバイスに提供するステップを更に有する、請求項１５に記載の方法。
【請求項１７】
前記登録に関するパラメータをメモリに格納するステップであり、前記メモリは、前記NSCLに関連するステップを更に有する、請求項１５に記載の方法。
【請求項１８】
前記M2Mデバイスの前記ケイパビリティについて人間に読み取り可能なユーザインタフェースを提供するために、ETSIネットワークアプリケーション（NA）を実装するステップを更に有する、請求項１５に記載の方法。
【請求項１９】
3GPP（3rd  Generation  Partnership  Project）/ETSI（European  Telecommunications  Standards  Institute）相互接続アーキテクチャに従って実装された通信システム内で動作するマシン・ツー・マシン（M2M）デバイスにより実行される方法であって、
デバイスアプリケーション（DA）からのデータをM2Mエリアネットワークの他のM2Mデバイスに提供するステップと、
インターネットプロトコル（IP）接続で前記M2Mエリアネットワークの外部の遠隔デバイスにケイパビリティを登録するステップと、
mId参照ポイントを通じて前記遠隔デバイスにデータを提供するステップであり、前記NSCLの少なくとも１つの機能は、サービス・ケイパビリティ・サーバ（SCS）に実装され、前記NSCLの少なくとも１つの機能は、3GPP  MTC-IWF（Interworking  Function）においてホストされるステップと
を有する方法。
【請求項２０】
前記mId参照ポイントに対応する無線ネットワークのmId参照ポイントは、3GPPユーザプレーン上に実現される、請求項１９に記載の方法。
【請求項２１】
前記mId参照ポイントに対応する無線ネットワークのmId参照ポイントは、3GPPコントロールプレーン上に実現される、請求項１９に記載の方法。
【発明の詳細な説明】
【技術分野】
【０００１】
この出願は、2012年7月2日に出願された米国仮特許出願第61/667,325号の優先権を主張する、2013年1月25日に出願された米国出願第13/750,697号の優先権を主張する。これらの双方の全内容を援用する。
【０００２】
実施例は、無線通信に関する。或る実施例は、3rd  Generation  Partnership  Project  (3GPP),  Technical  Specification  Group  Services  and  System  Aspects,  Architecture  enhancements  to  facilitate  communications  with  packet  data  networks  and  applications,  3GPP  TS23.682に関する。或る実施例は、European  Telecommunications  Standards  Institute  (ETSI)  Technical  Specification  for  Machine-to-Machine  Communications  (M2M);  M2M  functional  architecture,  ETSI  TS102  690に関する。或る実施例は、ETSI  Technical  Specification  for  Machine-to-Machine  Communications  (M2M);  3GPP  Interworking,  ETSI  TS101  603に関する。
【背景技術】
【０００３】
現在の3GPP（3rd  Generation  Partnership  Project）のLTE（long  term  evolution）仕様及び現在のETSI（European  Telecommunications  Standards  Institute）仕様は、マシン・ツー・マシン（M2M：machine-to-machine）通信のための要件及びアーキテクチャを規定している。
【発明の概要】
【発明が解決しようとする課題】
【０００４】
いくつかのETSI  M2Mデバイス又はアプリケーションは、システムの様々なエレメントの間の接続のために基礎となるインターネットプロトコル（IP：internet  protocol）として3GPPネットワークを使用することがある。従って、機能エンティティの特定、関連する参照ポイント又はインタフェース、及び3GPPネットワークでのETSI  M2Mデバイスの通信の手順を含み、3GPP/ETSI相互接続アーキテクチャを規定するための一般的なニーズが存在する。
【図面の簡単な説明】
【０００５】
【図１】例示的な実施例による無線通信ネットワークの例示的な部分を示す図
【図２】例示的な実施例による3GPP及びETSI相互接続アーキテクチャを示す図
【図３】例示的な実施例による3GPP及びETSI相互接続アーキテクチャを示す図
【図４】例示的な実施例による3GPP及びETSI相互接続アーキテクチャを示す図
【図５】例示的な実施例による3GPP及びETSI相互接続アーキテクチャを示す図
【図６】例示的な実施例による3GPP及びETSI相互接続アーキテクチャを示す図
【図７】例示的な実施例による3GPP及びETSI相互接続アーキテクチャを示す図
【図８】例示的な実施例によるM2Mデバイスのブロック図
【図９】例示的な実施例によるコンピュータデバイスのブロック図
【図１０】例示的な実施例によるマシン・ツー・マシン（M2M）デバイスの動作の手順のフローチャート
【図１１】例示的な実施例によるアプリケーションサーバ（AS）により実行される手順のフローチャート
【図１２】例示的な実施例によるETSI/3GPP相互接続アーキテクチャをサポートする通信システム内のM2Mデバイスの動作の手順のフローチャート
【発明を実施するための形態】
【０００６】
以下の説明及び図面は、当業者が実施することができるように特定の実施例を十分に示している。他の実施例は、構造的、論理的、電気的、処理的及び他の変更を組み込んでもよい。実施例への様々な変更は、当業者に容易に明らかになり、ここに規定された一般的な原理は、この開示の範囲を逸脱することなく、他の実施例及び用途にも適用され得る。更に、以下の説明では、説明の目的で複数の詳細が示される。しかし、当業者は、これらの特定の詳細を使用せずに実施例が実施されてもよいことを認識する。他にも、不要な詳細で実施例の説明を曖昧にしないように、周知の構成及び処理はブロック図の形式で示されていない。従って、この開示は、示された実施例に限定されることを意図するものではなく、ここに開示された原理及び特徴に従った最も広い範囲に従うことを意図する。
【０００７】
図１は、例示的な実施例が実装され得る無線通信ネットワーク100の例示的な部分を示している。一実施例では、無線通信ネットワーク100は、3GPP（3rd  Generation  Partnership  Project）のLTE（long  term  evolution）標準を使用したEUTRAN（evolved  universal  terrestrial  radio  access  network）を有する。一実施例では、無線通信ネットワーク100は、3GPPのUMTS（Universal  Mobile  Telecommunications  System）標準を使用したUTRAN（universal  terrestrial  radio  access  network）を有する。一実施例では、無線通信ネットワーク100は、ETSI（European  Telecommunications  Standards  Institute）標準ファミリーの標準に従って動作するデバイスを有する。一実施例では、無線通信ネットワーク100は、NodeB（Node  B）又はeNodeB（evolved  Node  B）110を含む。１つのみのNodeB/eNodeB110が示されているが、無線通信ネットワーク100は、１つより多くのNodeB/eNodeB110を含んでもよいことが分かる。
【０００８】
マシン・ツー・マシン（M2）ゲートウェイ120は、NodeB/eNodeB110と通信してもよい。１つ以上のM2Mユーザ装置（UE：user  equipment）125-1、125-2は、有線又は無線接続126-1、126-2でM2Mゲートウェイ120と通信してもよい。M2M  UE125-1、125-2の間の通信のための例示的な無線通信ネットワークは、特にローカルエリアネットワーク（LAN）、広域ネットワーク（WAN）、パケットデータネットワーク（例えば、インターネット）、無線データネットワーク（例えば、Wi-Fiとして知られるIEEE（Institute  of  Electrical  and  Electronics  Engineers）802.11標準ファミリー、WiMAXとして知られるIEEE802.16標準ファミリー）、ピア・ツー・ピア（P2P）ネットワークを含んでもよい。接続126-1、126-2はまた、Ethernet（登録商標）接続、シリアルバス接続、又は他の有線接続でもよい。
【０００９】
M2M  UE125-1、125-2は、例えば、公益事業計器（utility  meter）、機器、照明及びHVAC制御、トラッキングデバイス、自動車メンテナンスデバイス、健康遠隔モニタ装置等に関連するケイパビリティ（capability）（デバイスアプリケーション（DA：device  application）とも呼ばれる）を提供してもよい。M2M  UE125-1、125-2は、対応するデバイス・サービス・ケイパビリティ・レイヤ（DSCL：device  Service  Capability  Layer）（図示せず）にそれぞれのケイパビリティに関する情報を格納してもよい。M2Mゲートウェイ120もまたケイパビリティを提供してもよい。M2Mゲートウェイ120は、ゲートウェイSCL（GSCL：gateway  SCL）（図示せず）にM2Mゲートウェイ120のケイパビリティに関する情報を格納してもよい。GSCLはまた、取り付けられたM2M  UE又は関連するM2M  UE125-1、125-2のケイパビリティの情報又はデータを格納してもよい。以下では、DSCL及びGSCLは、D/G  SCLと呼ばれることがある。
【００１０】
M2M  UE125-1、125-2及びM2Mゲートウェイ120は、M2Mエリアネットワーク130を形成してもよい。M2Mエリアネットワーク130は、スマートホームネットワーク、自動車ネットワーク等のようなネットワークでもよい。M2Mゲートウェイ120は、１つ以上のM2M  UE125-1、125-2と、有線又は無線接続（例えば、NodeB/eNodeB110により提供される3GPP接続）との間のブリッジとして機能してもよい。
【００１１】
M2M  UE125-1、125-2及びM2Mゲートウェイ120のケイパビリティに関する情報及びデータは、以下ではネットワークアプリケーション（NA：network  application）と呼ばれる１つ以上のアプリケーションに提供されてもよい。NAは、例えば、アプリケーションサーバ（AS：application  server）135に存在してもよい。ネットワーク100は、簡潔にするために図１に示されていない他のエレメントを含んでもよい。例えば、ネットワーク100は、M2Mゲートウェイ120とAS135との間の通信を提供する他のエレメントを含んでもよい。これらのエレメントのうち特定のものは、図２〜７に関して以下に説明することがある。
【００１２】
現在のETSI仕様によれば、M2M  UE125-1、125-2及びM2Mゲートウェイ120のケイパビリティに関する情報及びデータは、M2Mツー・デバイス・インタフェース（mId：M2M  to  device  interface）でASに提供されてもよい。例示的な実施例は、3GPPシステムの構成要素でmIdインタフェースを実現又は実装するアーキテクチャを提供する。例示的な実施例は、以下に図２〜７を参照して説明するように、特定のETSI機能を異なる3GPPネットワークエレメントにマッピングしてもよい。
【００１３】
ネットワーク100（図１）の更なるエレメントについて、図２を参照して説明する。図３〜７は、図２に関して説明するものと少なくとも幾分か同様のエレメントを含むことが分かる。
【００１４】
図２を参照すると、ネットワーク200は、VPLMN（visited  public  land  mobile  network）部分と、HPLMN（home  public  land  mobile  network）部分とを含んでもよい。M2Mデバイス202は、エアインタフェースで無線アクセスネットワーク（RAN：Radio  Access Network）と通信してもよい。M2Mデバイス202は、例えばM2M  UE又はM2Mゲートウェイでもよい。エアインタフェースは、例えば、Um、Uu又はLTE-Uuエアインタフェースでもよい。3GPP  UMTS標準ファミリーの標準に従って動作するネットワーク200の場合、ネットワークは、MSC（Mobile  Service  Switching  Center）、SGSN（serving  general  packet  radio  service  (GPRS)  support  node）及びGGSN（gateway  GPRS  support  node）を含んでもよい。3GPP  LTE標準ファミリーの標準に従って動作するネットワーク200の場合、ネットワークは、MME（Mobility  Management  Entity）、S-GW（serving  gateway）及びP-GW（packet  gateway）を含んでもよい。
【００１５】
ネットワーク200は、サービス・ケイパビリティ・サーバ（SCS：Service  Capability  Server）を更に含んでもよい。SCSは、ASのいくつかの機能を実施してもよく、SCSは、以下に説明するように更なるサービスを提供してもよい。ネットワーク200は、3GPP  MTC-IWF（Machine  Type  Communications-InterWorking  Function）を更に含んでもよい。3GPP  UMTS標準ファミリーの標準に従って動作するネットワーク200の場合、ネットワーク200は、ホーム加入者サーバ（HSS：home  subscriber  server）及びIP-SM-GW（IP  Short  Message  Gateway）を更に含んでもよい。ネットワーク200は、課金データ機能及び／又は課金ゲートウェイ機能（CDF/CGF：charging  data  function  and/or  charging  gateway  function）を更に含んでもよい。3GPP  MTC-IWFは、HPLMN内のHSS及びSMS-SCとの接続を有してもよく、VPLMNのSGSN、MME又はMSCとの接続を有してもよい。ネットワーク200は、ショートメッセージサービス（SMS：Short  Message  Service）を提供するために、SMS-SC（Short  Message  Service-Service  Centre）、GMSC（Gateway  Mobile  Switching  Center）及び／又はIWMSC（Interworking  Mobile  Switching  Centre）を更に含んでもよい。ネットワーク200は、例えばM2Mデバイス202にショートメッセージを送信してもよく、M2Mデバイス202からのショートメッセージを受信してもよいショートメッセージエンティティ（SME：Short  Message  Entity）を更に含んでもよい。
【００１６】
ネットワーク200は、3GPP参照ポイントを含んでもよい。参照ポイントTsmsは、エンティティ（例えば、SME）により、SMSを介してM2Mデバイス202と通信するために使用されてもよい。ネットワーク200は、SCSにより、MTC-IWFと関係するコントロールプレーンのシグナリングを通信するために使用される参照ポイント（Tsp）を含んでもよい。ネットワーク200は、MTC-IWFにより、HPLMNのSMS-SCにデバイストリガーをルーティングするために使用される参照ポイントT4を含んでもよい。ネットワーク200は、MTC-IWFとサービングSGSNとの間の通信のための参照ポイントT5aを更に含んでもよい。ネットワーク200は、MTC-IWFとサービングMMEとの間の通信のための参照ポイントT5bを更に含んでもよい。ネットワーク200は、MTC-IWFとサービングMSCとの間の通信のための参照ポイントT5cを含んでもよい。ネットワーク200は、MTC-IWFがHSSに問い合わせるために使用する参照ポイントS6mを含んでもよい。ネットワーク200は、MTC-IWFとCDFとの間のオフライン課金のための参照ポイントRfを含んでもよい。ネットワーク200はCDFとCGFとの間の参照ポイントGaを含んでもよい。Gi又はSGiインタフェースは、それぞれAS215とGGSN又はP-GWとの間に実装されてもよい。
【００１７】
図１を参照して前述したように、M2Mデバイス202は、DA205を実装してもよい。
DA205は、例えばスマートホームアプリケーション又は自動車アプリケーション等でもよい。DA205は、ETSIデバイスアプリケーションインタフェース（dIa）を通じてD/G  SCL210に情報を提供してもよい。M2Mデバイス202は、M2M  UE又はM2Mゲートウェイでもよい。M2Mデバイス202は、M2M  UE125-1、125-2又はM2Mゲートウェイ120（図１）として動作可能でもよい。M2Mデバイス202がM2Mゲートウェイとして動作する場合、M2Mデバイスは、関連するM2M  UE（図示せず）のケイパビリティ又はDAの情報を提供してもよい。
【００１８】
M2Mデバイス202は、AS215のようなデバイスにD/G  SCLに格納されたデータを提供してもよい。AS215は、AS135（図１）として動作可能でもよい。AS215は、ネットワーク・サービス・ケイパビリティ・レイヤ（NSCL：network  Service  Capability  Layer）220を提供してもよい。AS215は、M2Mアプリケーションインタフェース（mIa）でNSCL220と通信するNA225を更に含んでもよい。或る実施例では（図３〜５を参照して以下に説明する）、SCSは、NSCL220を含んでもよい。少なくともこれらの実施例では、mIaは、ASとSCSとの間に実装されてもよい。SCSとASとの間の通信に関する機能を開発するために、アプリケーションプログラミングインタフェース（API：application  programming  interface）が提供されてもよい。
【００１９】
＜初期化及び登録＞
M2Mデバイス202は、NSCLにケイパビリティについての情報を送信するためにmIdインタフェースを使用する前に、少なくとも１つの初期化処理を実行してもよい。例えば、M2Mデバイス202は、NSCLとのSCL登録を実行してもよい。
【００２０】
M2Mデバイス202がM2M  UEである場合、M2Mデバイス202は、M2MゲートウェイのGSCLに登録してもよい。M2Mデバイス202がM2Mゲートウェイである場合、この動作は生じなくてもよいことが分かる。この登録に基づいて、M2MゲートウェイのGSCLは、M2Mデバイス202に関連するDA205のアイデンティティ（identity）を格納してもよい。M2MゲートウェイのGSCLは、アクセス権及びDA205のための通知チャネルのような他のパラメータと、ETSI標準ファミリーの標準により指定された他のパラメータとを更に格納してもよい。
【００２１】
次に、GSCLは、NSCL220に登録してもよい。この登録に基づいて、NSCL220は、GSCLのアイデンティティを格納してもよい。NSCL220は、アクセス権及びGSCLのための通知チャネルのような他のパラメータと、ETSI標準ファミリーの標準により指定された他のパラメータとを更に格納してもよい。NSCL220は、M2Mゲートウェイの取り付けられたデバイスに関するパラメータを格納してもよい。例えば、NSCL220は、GSCLに登録したM2Mデバイス202に関するパラメータを格納してもよい。
【００２２】
次に、NSCL220は、GSCLに登録してもよい。GSCLは、同様にNSCL220を表すリソースを格納してもよい。GSCLは、アクセス権及びNSCL220の通知チャネルのようなパラメータと、ETS標準ファミリーの標準により指定された他のパラメータとを格納してもよい。NA225は、NSCL220に更に登録してもよい。NAの登録に基づいて、次に、GSCLは、NA225のアイデンティティ情報を格納してもよい。
【００２３】
mIdインタフェースにセキュリティ機構が実装されてもよい。例えば、M2Mデバイスは、安全な接続を確立するための暗号化鍵を有する必要があってもよい。登録してセキュリティ手段を実行すると、M2Mデバイス202は、3GPPネットワークとインターネットプロトコル（IP）接続を確立し、D/G  SCL210に格納されたデータを提供してもよい。データは、M2Mデバイスのケイパビリティに関する情報を表してもよい。M2Mデバイス202は、ETSIのmIdインタフェースを使用してIP接続でデータをNSCLに送信してもよい。
【００２４】
＜相互接続アーキテクチャ＞
図２は、ユーザプレーン上の直接相互接続モデルを示している。mIdインタフェースは、D/G  SCL210に対して、NSCL220、GGSN（UMTSシステムの場合）又はP-GW（LTEシステムの場合）、及びSGSN（UMTSシステムの場合）又はS-GW（LTEシステムの場合）上に実現されてもよい。UMTSの実現が曲線Aで示されており、LTEの実現が曲線Bで示されている。
【００２５】
少なくとも１つの実施例では、SMEは、NSCL220と共に配置されてもよい。少なくともこの実施例では、実現は、NSCL/SME、Tsmsインタフェース上にあり、従って、D/G  SCL210へのMSC、MME又はSGSNのうち１つの上にある。
【００２６】
図３は、3GPPコントロールプレーン上の間接／ハイブリッド相互接続モデルを示している。D/G  SCL310とNSCL320との間の通信は、MTC-IWFを介して生じてもよい。MTC-IWFは、Tspインタフェース上のプロトコル変換及びデバイストリガーを提供してもよい。少なくともこの実施例では、モバイルネットワークオペレータ（MNO：mobile  network  operator）は、M2Mアプリケーション及びM2Mプロビジョニングに対して、図２の直接相互接続モデルに比べて、高い程度の制御を有してもよい。少なくともこの実施例では、NA325は、AS315に存在する。NSCL320は、SCSに存在し、従って、mIa参照ポイントは、AS315とSCS320との間に実装される。SCSは、MNO又はM2Mサービスプロバイダにより制御されてもよい。mIdインタフェースは、それぞれ曲線A及びBで示すように、D/G  SCL310に対して、SCS、MTC-IWF及びMME又はSGSN上に実現されてもよい。或る実施例では、NSCL320の機能は分散されてもよい。例えば、NSCL320の機能は、SCSとMTC-IWFとの間に分散されてもよい。
【００２７】
図４は、3GPPコントロールプレーン上の間接ハイブリッド相互接続モデルのもとでのmIdインタフェースの実現のための更なる実施例を示している。曲線Aに示すように、mIdインタフェースは、D/G  SCL410に対して、NSCL420、Tspインタフェースを使用したMTC-IWF、T5a又はT5bを使用したSGSN又はMME上に実現されてもよい。曲線Bに示すように、mIdインタフェースは、D/G  SCL410に対して、NSCL420、Tspインタフェースを使用したMTC-IWF、T4インタフェースを使用したSMS-SC、及びMSC、SGSN又はMME上に実現されてもよい。曲線Cに示すように、SMEはNSCL420と共に配置され、SCSの一部として実装されてもよい。mIdインタフェースは、D/G  SCL410に対して、NSCL/SME、Tsmsインタフェースを通じたSMS-SC、及びMSC、SGSN又はMME上に実現されてもよい。
【００２８】
図５は、3GPPユーザプレーン上の間接／ハイブリッド相互接続モデルのもとでのmIdインタフェースの実現のための実施例を示している。曲線A及びBに示すように、D/G  SCL510とNSCL520との間の通信は、MTC-IWFを通じて生じてもよい。NSCL520は、SCSに実装されてもよい。MTC-IWFは、Tspインタフェースを通じたプロトコル変換及びデバイストリガーのような機能を提供する。少なくともこれらの実施例では、モバイルネットワークオペレータ（MNO）は、M2Mアプリケーション及びM2Mプロビジョニングに対して、高い程度の制御を有してもよい。SCSは、MNO又はM2Mサービスプロバイダにより制御されてもよい。ETSI  M2M手順はユーザプレーン上で実行されてもよい。デバイストリガー及びスモールデータ送信のようないくつかの機能は、Tspインタフェースを通じて3GPPコントロールプレーン上に実現されてもよい。
【００２９】
或る実施例では、NSCL520の機能は分散されてもよい。例えば、NSCL520の機能は、SCSとMTC-IWFとの間に分散されてもよい。mIdインタフェースは、D/G  SCL210に対して、NSCL520、GGSN（UMTSシステムの場合）又はP-GW（LTEシステムの場合）、及びSGSN（UMTSシステムの場合）又はS-GW（LTEシステムの場合）上に実現されてもよい。UMTSの実現は曲線Aで示されており、LTEの実現は曲線Bで示されている。
【００３０】
図６は、3GPPコントロールプレーン上の間接／ハイブリッド相互接続モデルを示している。図６に示す実施例は、NSCL620がAS615として実装されてもよいことを除き、図３〜４に示す実施例と少なくとも幾分か類似し得る。D/G  SCL610とNSCL620との間の通信は、MTC-IWFを介して生じてもよい。MTC-IWFは、Tspインタフェース上のプロトコル変換及びデバイストリガーを提供する。少なくともこの実施例では、モバイルネットワークオペレータ（MNO）は、M2Mアプリケーション及びM2Mプロビジョニングに対して、高い程度の制御を有してもよい。SCSは、MNO又はM2Mサービスプロバイダにより制御されてもよい。
【００３１】
曲線A及びBにより示すように、mIdインタフェースは、D/G  SCL610に対して、NSCL620、SCS、Tspインタフェースを使用したMTC-IWF、それぞれT5a又はT5bを使用したSGSN又はMME上に実現されてもよい。曲線Cにより示すように、mIdインタフェースは、D/G  SCL610に対して、NSCL620、SCS、Tspインタフェースを使用したMTC-IWF、T4インタフェースを使用したSMS-SC、及びMSC（図示せず）、SGSN（図示せず）又はMME上に実現されてもよい。SMEは、NSCL620と共に配置され、AS615の一部として実装されてもよい点に留意すべきである。従って、曲線Dにより示すように、mIdインタフェースは、D/G  SCL610に対して、SME/NSCL620、Tsmsインタフェースを使用したSMS-SC、MSC（図示せず）、SGSN（図示せず）又はMME上に実現されてもよい。
【００３２】
図７は、NSCL720がMTC-IWFに存在し得ることを示している。図３〜６を参照して前述したものと同様の例示的な実施例は、図７のアーキテクチャに同様に又は幾分か同様に実装されてもよい。
【００３３】
図８は、或る実施例によるUE800の基本構成要素を示している。UE800は、M2M  UE125-2、125-2又はM2Mゲートウェイ120（図１）若しくはMTCデバイス202、302、402、502、602（図２〜６）として好適なものでもよい。UE800は、実施例に従ってETSI/3GPP相互接続のための方法をサポートしてもよい。UE800は、基地局(BS)、NodeB/eNodeB110及び／又は無線ローカルエリアネットワーク（WLAN）アクセスポイントと通信するように構成された１つ以上のアンテナ810を含んでもよい。UE800は、プロセッサ820を更に含む。プロセッサは、アプリケーション825を実行する命令を含んでもよい。アプリケーション825は、例えば、図２〜７を参照して前述したDAでもよい。UE800は、前述のサービス・ケイパビリティ・レイヤ（SCL）830の情報を格納するメモリを含んでもよい。UE800は、通信インタフェース835を更に含んでもよい。
【００３４】
例示的な実施例は、UE800が無線通信ネットワークにおいてM2M通信を実行することを可能にする。１つ以上のプロセッサ820は、ETSI  SCLを実装してもよい。前述のように、SCLは、DSCL又はGSCLでもよく、以下ではD/G  SCLと呼ばれてもよい。
【００３５】
通信インタフェース835は、SCLと第２のデバイスとの間にIP接続を確立してもよい。図１〜７を参照して説明したように、第２のデバイスは、AS、SCS又は他のネットワーク構成要素でもよい。
【００３６】
SCL830は、mId参照ポイントでUE800のケイパビリティについての情報を第２のデバイスに提供するために、IP接続を使用してもよい。mId参照ポイントは、ETSI標準ファミリーの標準に従って実装されてもよい。mId参照ポイントは、図２〜７を参照して前述したように実現されてもよい。例示的な実施例では、mId参照ポイントは、3GPPユーザプレーン上に実装されてもよく、mId参照ポイントは、3GPPユーザプレーンのGi/SGiインタフェース又はTsmインタフェース上に実装されてもよい。mIdインタフェースは、3GPPコントロールプレーン上に実装されてもよい。
【００３７】
１つ以上のプロセッサ820は、3GPP  T4インタフェース上でショートメッセージサービス（SMS）通信を使用して、第２のデバイスにケイパビリティを登録してもよい。ケイパビリティは、M2Mデバイスで実行するアプリケーション（例えば、DA）でもよい。アプリケーションは、図１を参照して前述したように、スマートホームアプリケーション、計器アプリケーション、又は自動車アプリケーション等でもよい。
【００３８】
図９は、或る実施例による方法を実行するコンピュータデバイス900の詳細を示す例示的なブロック図を示している。コンピュータデバイス900は、アプリケーションサーバ135（図１）又はアプリケーションサーバ215、315、415、515、615、715（図２〜７）又は他のネットワーク構成要素として好適なものでもよい。コンピュータデバイス900は、図１〜７を参照して前述したように、ETSI  NA又はETSI  NSCLの１つ以上の動作を実行又は実装してもよい。
【００３９】
コンピュータデバイス900は、ハードウェアプロセッサ902（例えば、中央記憶装置（CPU）、グラフィック処理ユニット（GPU）、ハードウェアプロセッサコア又はこれらのいずれかの組み合わせ）、メインメモリ904及びスタティックメモリ906を含んでもよく、これらの一部又は全部は、インターリンク（例えば、バス）908を介して相互に通信してもよい。コンピュータデバイス900は、ディスプレイデバイス910、英数字入力デバイス912（例えば、キーボード）及びユーザインタフェース（UI）ナビゲーションデバイス911（例えば、マウス）を更に含んでもよい。コンピュータデバイス900は、記憶デバイス（例えば、ドライブユニット）916、信号生成デバイス918（例えば、スピーカ）及びネットワークインタフェースデバイス920を更に含んでもよい。
【００４０】
プロセッサ902は、ETSI  NAを実行するように構成されてもよい。
【００４１】
ネットワークインタフェースデバイス920は、NAとETSIネットワーク・サービス・ケイパビリティ・レイヤ（NSCL）との間の通信を提供するように構成されてもよい。NSCLはコンピュータデバイス900に実装されてもよく、NSCLは１つ以上の他のコンピュータデバイスに実装されてもよい。例えば、NSCLは、図３〜５を参照して前述したように、3GPPサービス・ケイパビリティ・サーバ（SCS）に実装されてもよい。
【００４２】
メインメモリ904、スタティックメモリ906及び／又は大容量記憶装置916は、NSCLのパラメータを格納するように構成されてもよい。NSCLのパラメータは、アクセス権、通知チャネル及び識別情報等のようなNAに関するパラメータを含んでもよい。NSCLのパラメータは、D/G  SCLに関するパラメータを更に含んでもよい。
【００４３】
ネットワークインタフェースデバイス920は、図１〜７を参照して前述したように、ETSI  mIdインタフェースの１つ以上の機能を実装又は実現するように構成されてもよい。ネットワークインタフェース920は、インターネットプロトコル（IP）接続に実現されたmId参照ポイントで、無線通信ネットワークのデバイスのケイパビリティの登録を受信してもよい。mId参照ポイントは、図１〜７を参照して前述したように、ETSI標準ファミリーの標準に従って実装されてもよい。プロセッサ902は、この登録に関するデータをメインメモリ904、スタティックメモリ906及び／又は大容量記憶装置916に格納するように更に構成されてもよい。登録に関するデータは、D/G  SCLパラメータを含んでもよい。D/G  SCLパラメータは、D/G  SCLに関するDAの情報及びデータ、D/G  SCLについてのアクセス権及び通知チャネル、取り付けられたM2Mデバイスの識別情報、又はETSI標準ファミリーの標準に従った他のパラメータを含んでもよい。
【００４４】
コンピュータデバイス900は、GPS（global  positioning  system）センサ、コンパス、加速度計、又は他のセンサのような１つ以上のセンサ921を更に含んでもよい。コンピュータデバイス900は、１つ以上の周辺デバイス（例えば、プリンタ、カードリーダ等）と通信するため又は制御するために、シリアル（例えば、ユニバーサルシリアルバス（USB）、パラレル又は他の有線若しくは無線（例えば、赤外線（IR）））接続のような出力コントローラ928を含んでもよい。
【００４５】
記憶デバイス916は、ここに記載の技術又は機能のいずれか１つ以上を具現又は利用したデータ構造又は命令924（例えば、ソフトウェア）の１つ以上のセットを格納した機械可読媒体922を含んでもよい。命令924はまた、コンピュータデバイス900による実行中にメインメモリ904、スタティックメモリ906、又はハードウェアプロセッサ902内に完全に又は少なくとも部分的に存在してもよい。一例では、ハードウェアプロセッサ902、メインメモリ904、スタティックメモリ906又は記憶デバイス916のうち１つ又はいずれかの組み合わせは、機械可読媒体を構成してもよい。
【００４６】
機械可読媒体922は単一の媒体として示されているが、“機械可読媒体”という用語は、１つ以上の命令424を格納するように構成された単一の媒体又は複数の媒体（例えば、集中又は分散データベース又は関連するキャッシュ及びサーバ）を含んでもよい。
【００４７】
“機械可読媒体”という用語は、コンピュータデバイス900による実行のための命令を格納、符号化又は伝搬可能であり、コンピュータデバイス900に対してこの開示の技術のいずれか１つ以上を実行させる如何なる媒体を含んでもよく、このような命令により使用されるデータ構造又はこのような命令に関連するデータ構造を格納、符号化又は伝搬可能である如何なる媒体を含んでもよい。例えば、命令は、コンピュータデバイス900に対して、前述のようにETSI  NSCLの機能及びETSI  NAを実装させてもよい。
【００４８】
非限定的な機械可読媒体の例は、ソリッドステートメモリと、光及び磁気媒体とを含んでもよい。一例では、密集した機械可読媒体は、静止した集合を有する複数の部分を有する機械可読媒体を有する。密集した機械可読媒体の特定の例は、半導体メモリデバイス（例えば、電気的プログラム可能読み取り専用メモリ（EPROM）、電気的消去可能プログラム可能読み取り専用メモリ（EEPROM）及びフラッシュメモリデバイス）のような不揮発性メモリ、内部ハードディスク及び取り外し可能ディスクのような磁気ディスク、光磁気ディスク、CD-ROM及びDVD-ROMディスクを含んでもよい。
【００４９】
命令924は、複数の伝送プロトコル（例えば、フレームリレー、インターネットプロトコル（IP）、伝送制御プロトコル（TCP）、ユーザデータグラムプロトコル（UDP）、ハイパーテキスト転送プロトコル（HTTP）等）のうちいずれか１つを利用して、ネットワークインタフェースデバイス920を介して伝送媒体を使用して通信ネットワーク926で更に送信又は受信されてもよい。“伝送媒体”という用語は、コンピュータデバイス900による実行のための情報を格納、符号化又は伝達することができるいずれかの無形の媒体を含むものとして考えられるべきであり、このようなソフトウェアの通信を容易にするためのデジタル若しくはアナログ信号又は他の無形の媒体を含む。
【００５０】
図１０は、無線ネットワークで動作するM2Mデバイス（例えば、M2M  UE125-1、125-2又はM2Mゲートウェイ120）により実装される動作を示している。例示的な実施例では、M2M  UE125-1がこれらの動作を実行する。それにも拘わらず、他のM2M  UE又はM2Mゲートウェイがこれらの動作を実行してもよいことが分かる。
【００５１】
動作1000において、M2M  UE125-1は、ETSIサービス・ケイパビリティ・レイヤ（SCL）と第２のデバイスとの間にインターネットプロトコル（IP）接続を確立してもよい。第２のデバイスは、例えば、図１〜７を参照して前述したアプリケーションサーバ（AS）でもよい。
【００５２】
動作1010において、M2M  UE125-1は、SCLの名前を第２のデバイスに登録する。
【００５３】
動作1020において、SCLの名前を第２のデバイスに登録すると、M2M  UE125-1は、IP接続でmId参照ポイントを使用して第２のデバイスにM2Mデバイスで実行するアプリケーションの情報を提供してもよい。図１〜７を参照して前述したように、mId参照ポイントは、ETSI標準ファミリーの標準に従って実装されてもよい。mId参照ポイントは、3GPPユーザプレーン内のTsmsインタフェース又はGi/SGiインタフェース上に実装されてもよい。mId参照ポイントは、3GPPコントロールプレーン上に実装されてもよい。M2Mデバイスは、3GPP  T4インタフェース上でショートメッセージサービス（SMS）通信を使用して第２のデバイスに登録してもよく、3GPP  T5インタフェース上でスモールデータ送信（Small  Data  Transmission）を使用して第２のデバイスに登録してもよい。
【００５４】
M2M  UE125-1は、M2Mエリアネットワーク130の他のM2Mデバイス120、125-2にアプリケーションのデータを提供してもよい。M2M  UE15-1は、mIdインタフェース上でIP接続を使用して第２のデバイスで実行するアプリケーションのデータを受信してもよい。例えば、M2M  UE125-1は、AS135で実行するNAから情報を受信してもよく、AS135で実行するNAについての情報を受信してもよい。
【００５５】
図１１は、アプリケーションサーバ（AS）により実装される動作を示している。ASは、例えば、AS135（図１）及び／又はAS215、315、415、515、615、715（図２〜７）でもよい。例示的な実施例は、AS135に関して説明する。動作1100において、AS135は、マシン・ツー・マシン（M2M）デバイスのケイパビリティの登録を受信してもよい。AS135は、IP接続で登録を受信してもよい。
【００５６】
動作1110において、AS135は、ケイパビリティに関するデータを受信してもよい。データは、登録に続いて受信されてもよい。データは、IP接続でmId参照ポイントを使用して受信されてもよい。mId参照ポイントは、図１〜７を参照して前述したように、ETSI標準ファミリーの標準に従って実装される。AS135は、図９に関して前述したように、メモリに登録に関するパラメータを格納してもよい。メモリは、ETSI  NSCLに関連してもよい。
【００５７】
AS135はまた、AS135で実行するアプリケーションに関するデータをM2Mデバイスに提供してもよい。例えば、AS135は、AS135で実行するNAに関するデータをM2Mデバイスに提供してもよい。データは、IP接続でmId参照ポイントを使用して提供されてもよい。NAは、M2Mデバイスのケイパビリティについて人間に読み取り可能なユーザインタフェースを提供してもよい。
【００５８】
図１２は、通信システムで動作するM2Mデバイス（例えば、M2M  UE125-1、125-2又はM2Mゲートウェイ120）により実装される動作を示している。通信システムは、3GPP  ETSI（European  Telecommunications  Standards  Institute）相互接続アーキテクチャに従って実装されてもよい。例示的な実施例では、M2M  UE125-1は、これらの動作を実行する。それにも拘わらず、他のM2M  UE又はM2Mゲートウェイがこれらの動作を実行してもよいことが分かる。
【００５９】
動作1200において、M2M  UE125-1は、DAからのデータをM2Mエリアネットワークの他のM2Mデバイスに提供してもよい。
【００６０】
動作1210において、M2M  UE125-1は、インターネットプロトコル（IP）接続でM2Mエリアネットワークの外部の遠隔デバイスにケイパビリティを登録してもよい。
【００６１】
動作1220において、M2M  UE125-1は、mId参照ポイントを通じてデータを遠隔デバイスに提供してもよい。mId参照ポイントは、ETSI標準ファミリーの標準に従って実装されてもよい。mId参照ポイントは、3GPPユーザプレーン、3GPPコントロールプレーン又はこれらの組み合わせで実現されてもよい。
【００６２】
前述の実施例は、記載の技術を実行する命令を実行するプロセッサを含んでもよい様々なハードウェア構成で実装されてもよい。このような命令は、メモリ又は他のプロセッサ実行可能媒体に転送される適切な記憶媒体に含まれてもよい。
【００６３】
明瞭にする目的で、前述の説明は、異なる機能ユニット又はプロセッサを参照していくつかの実施例を記載している。しかし、実施例を逸脱することなく、異なる機能ユニット、プロセッサ又はドメインの間の機能のいずれか適切な分散が使用されてもよいことが分かる。例えば、別々のプロセッサ又はコントローラにより実行されるように示された機能は、同じプロセッサ又はコントローラにより実行されてもよい。従って、特定の機能ユニットへの参照は、厳密な論理的又は物理的構造又は構成を示すのではなく、記載の機能を提供する適切な手段への参照としてのみ考えられるべきである。
【００６４】
本発明の対象についていくつかの実施例に関して説明したが、ここに示す特定の形式に限定されることを意図するものではない。記載の実施例の様々な機能は、この開示に従って組み合わされてもよいことを当業者は認識する。更に、開示の範囲を逸脱することなく、様々な実施例及び変更が当業者により行われてもよいことが分かる。
【００６５】
要約は、読者が技術的開示の本質及び要旨を確かめることを可能にすることを要約に求める37  C.F.R  Section  1.72(b)に従うように提供されている。これは特許請求の範囲又はその意味を限定又は解釈するために使用されないという理解で提示されている。以下の特許請求の範囲は、各請求項が別々の実施例として自立して、詳細な説明に組み込まれる。
【図１】
0005989899.tif 000002
【図２】
0005989899.tif 000003
【図３】
0005989899.tif 000004
【図４】
0005989899.tif 000005
【図５】
0005989899.tif 000006
【図６】
0005989899.tif 000007
【図７】
0005989899.tif 000008
【図８】
0005989899.tif 000009
【図９】
0005989899.tif 000010
【図１０】
0005989899.tif 000011
【図１１】
0005989899.tif 000012
【図１２】
0005989899.tif 000013